(57)【要約】【課題】和風瓦葺きの大棟、陸棟、落棟、隅棟などの棟瓦に適用でき地震や強風などの強い揺れに対しても崩壊せず、簡単な施工方法で実施可能な棟瓦防災用の棟瓦固定バンドにて、新築、改築を問わず施工可能とする。【解決手段】大棟、陸棟、落棟、隅棟などの瓦の外観形状に沿わせ、帯板状の固定バンドを成し、フランジ部には複数個の丸孔を穿孔し、桟瓦の桟心部より下地材、野地板、垂木及び瓦桟木などへ長尺ビスを螺着して、のし瓦や冠瓦を上面より圧着して施工したことを特徴とする棟瓦固定バンドを開発する。【効果】多種多様の和風瓦葺きの大棟、隅棟などの瓦の外観形状に沿わせることができ、新築、改築の家屋を問わず施工でき、特に既存の棟瓦の部分修繕には解体する部分が小範囲で済み、防災構造でない既存の棟瓦でも補強対策を施すことができる極めて優れた棟瓦固定バンドである。【選択図】　　　　図１
2004052217.tif 000002
【特許請求の範囲】
【請求項１】
和風瓦葺きの大棟、陸棟、落棟、隅棟などの瓦の外観形状に沿って、桟瓦の桟心部までフランジ部を形成した半円形の帯板状の固定バンドにて挟み付け、該固定バンドのフランジ部に穿孔した丸孔より長尺ビスを、桟瓦の桟心部を通して野地板や垂木へ螺着して、上記固定バンドにてのし瓦や冠瓦の上面より圧着することで地震や強風などの災害による上記棟瓦の被害を防止する対策を施したことを特徴とする棟瓦固定バンド。
【請求項２】
冠瓦の天井長手方向に帯板を添設し、または冠瓦やのし瓦の長手方向に金網を覆設して、半円形の帯板状の固定バンドで更にのし瓦や冠瓦の上面より圧着したことを特徴とする請求項１に記載の棟瓦固定バンド。
【請求項３】
大棟の左右傾斜面に対向する桟瓦の桟心部が偏心した瓦葺き施工に於て、半円形の帯板状の固定バンドのフランジ部に補助プレートを介在して、上記固定バンドにてのし瓦や冠瓦の上面より圧着したことを特徴とする請求項１に記載の棟瓦固定バンド。
【請求項４】
冠瓦の外形、及びのし瓦の段違い積みに合わせて帯板状の固定バンドを段曲げ加工した屈曲部を前述ののし瓦の略下部段違い部に合致させて、上記固定バンドにてのし瓦や冠瓦の上面より圧着したことを特徴とする請求項１に記載の棟瓦固定バンド。
【請求項５】
桟瓦と野地板との間に介在した不腐食性に富んだ檜、杉など木製またはプラスチック製の下地材を野地板を通じて垂木へ取付けして、長尺ビスまたは長尺ボルトにて棟瓦固定バンドのフランジ部を桟瓦の桟心部より下地材および野地板へ螺着して、棟瓦へ取付してなる請求項１に記載の棟瓦固定バンド。
【請求項６】
棟瓦固定バンドのフランジ部を桟瓦の端部まで延長して、該フランジ部より長尺ビスまたは長尺ボルトを桟木を通して野地板、または垂木まで螺着してなる請求項１に記載の桟瓦固定バンド。
【発明の詳細な説明】
【０００１】
【発明の属する技術分野】
本発明は、和風瓦葺きの大棟や陸棟、落棟、隅棟などの瓦（以下、棟瓦という）の棟瓦固定バンドに関し、詳しくは棟瓦固定バンドを使用して垂木や野地板や専用下地材などに螺着することにより、のし瓦や冠瓦を安定・強固にした地震や強風の防災対策のための棟瓦固定バンドに関するものである。
【０００２】
【従来の技術】
従来、和風建築の瓦葺き工事における棟部の構造は、複数段の積のし瓦と冠瓦を全体に銅線で緊結させた千鳥格子施工や、野地板や垂木に打ち込まれたフック状の釘に銅線を掛止し、複数段の積のし瓦の上部に設置された冠瓦に該銅線の両端を挿通して中央部で結束させた心しばり施工による方法が一般に採用されている現状である。
【０００３】
従来の構造を図４ａ、図４ｂで千鳥格子施工を、図５ａ、図５ｂで心しばり施工を説明すると、予め棟木５、垂木６、野地板７を使用して屋根１１の傾斜面を形成させ、瓦桟木１７を所定の位置に釘８で固定させて配設し、該瓦桟木１７に桟瓦４を均衡に掛止させて瓦緊結用釘９で固定されることにより棟部分が構成される。然る後に棟土１０を棟部分の桟瓦４の上に載せ、その周囲にのし瓦２、棟土１０、のし瓦２、と順次積み上げして最後に冠瓦３を載せて大棟１が完成される。
【０００４】
そこで図４ａ、図４ｂに示すように、予め緊結用の銅線１３をのし瓦施工前に大棟１の長手方向に対し千鳥状に左右方向へ渡設し、棟土１０に包含させ、更にのし瓦２と冠瓦３を載せ、棟瓦の施工が一列完成した時点で別の緊結用の銅線１２を既設の銅線１３の輪に渡し込みながら左右・千鳥格子状に編み上げるものが千鳥格子施工である。
【０００５】
また図５ａ、図５ｂに示すように、棟木５や野地板７などの屋根下地にフック状の釘１５を打設し、該釘１５に緊結用の銅線１４を掛止し、同様に棟土１０やのし瓦２を積上げて、最後に冠瓦３の天井中央部に２個の丸孔３３を穿設させ、該緊結用の銅線１４を挿通して結束することにより大棟１の固定としたものが心しばり施工である。
【０００６】
【発明が解決しようとする課題】
然し、上記の千鳥格子施工では、のし瓦と冠瓦を緊結した銅線が棟土を貫通しているだけで野地板やその他の建築物の構造に係止されていない。且つ建築年数が経ち緊結用の銅線が腐蝕・折損した場合、該銅線が連続して渡設しているため、地震や強風などで棟土が崩れ易く、のし瓦と冠瓦がずれて落下したり吹き飛ばされる課題があった。
【０００７】
更に上記の心しばり施工では、のし瓦と冠瓦の構造に於て、ほとんど棟土で固止されているので、地震や強風などの横からの力に対してフック状の釘の１点に力が作用し、一度棟瓦の構造が崩壊すると重量が係り次々と屋根が落下し易く防災には適さない課題もあった。またフック状の釘は棟木に固定されるが、離脱し易い方向に力が働き釘が抜け落ちてしまう問題点が指摘されていた。
【０００８】
上記の問題点を鑑み、棟瓦に適用でき地震や強風などの強い揺れに対しても崩壊せず、簡単な施工方法で実施可能な棟瓦防災のための棟瓦固定バンドを提供して、且つ新築、改築を問わず施工可能を目的とした。
【０００９】
【課題を解決するための手段】
本発明は、上記課題を解決するためになされたものであり、その要旨とするところは、和風瓦葺きの棟瓦の外観形状に沿って、桟瓦の桟心部までフランジ部を形成した半円形の帯板状の固定バンドにて挟み付け、該固定バンドのフランジ部に穿孔した丸孔より長尺ビスを、桟瓦の桟心部を通して野地板や垂木へ螺着して、上記固定バンドにてのし瓦や冠瓦の上面より圧着することで地震や強風などの災害による大棟や隅棟の被害を防止する対策を施したことを特徴とする棟瓦固定バンドに関するものである。
【００１０】
【発明の実施の形態】
本発明を図面の実施例を参照しながら詳細に説明する。
（実施例１）
図１、図２に於て、Ａは和風瓦葺きの大棟１に施工された本発明の棟瓦固定バンドを示し、該固定バンドＡは、のし瓦２、冠瓦３を締着して桟瓦４の桟心部３０より穿設された２つの丸孔２２より長尺ビス１８で野地板７から垂木６まで螺着される。場合によっては瓦桟木１７にも螺着させることも可能であるり、後述の図１１で詳細に説明する。
更に隅棟に対しても同様の棟瓦固定バンドＡの施工が可能であり、後述の図１２、図１３、図１４において詳細に説明する。
【００１１】
本発明の棟瓦固定バンドＡは、大棟１の長手方向に対し、一般に１乃至２個の冠瓦３の間隔を空けて配設される。また改築家屋の大棟１に於ては、修理部分の冠瓦３を重点的に位置決定して棟固定バンドＡが取り付けられる。
【００１２】
また本発明の棟瓦固定バンドＡの取付けは、従来の図５ａの心しばり施工や千鳥格子施工などと併用した方が好ましく、地震や強風対策の防災構造の効果が更に発揮されるものである。
【００１３】
一般に棟瓦固定バンドＡは、防錆・加工性を考慮しステンレス性の約２ｍｍ程度の帯板で製作されるが、亜鉛鉄板や銅板、耐候性樹脂板などでも強度が同等であれば使用しても構わない。且また各種の屋根瓦の美観を損ねない様に塗装を施しても問題はない。
【００１４】
そこで図２ａ、図２ｂに於て、本発明の棟瓦固定バンドＡの取付け状態を更に詳しく説明すると、従来の棟瓦の施工と同様に、予め棟木５、垂木６、野地板７を使用して屋根１１の傾斜面を形成させ、瓦桟木１７を所定の位置に釘８で固定させて配設し、該瓦桟木１７に桟瓦４を均衡に掛止して、瓦取付用釘９で固定されることにより棟部分が構成される。然る後に棟土１０を棟部分の桟瓦４の上に載せ、その周囲にのし瓦２、棟土１０、のし瓦２、と順次積み上げして最後に冠瓦３を載せて施工された棟瓦の左右に渡設するように半円形に屈曲させてステンレスの帯板を装設し、且つ両端を桟瓦４の桟心部３０の傾斜に角度を合わせて折り曲げたフランジ部２３を形成して棟瓦固定バンドＡが固着される。
【００１５】
棟瓦固定バンドＡのフランジ部２３には２つの丸孔１６が穿設され、桟瓦４の桟心部３０に振動ドリルの刃で穿設された丸孔２２に防水ゴム１９が挿通された長尺ビス１８を該丸孔２２に差込み、野地板７及び垂木６へ螺着させる。更に棟瓦固定バンドＡの緩みに留意して左右共に同一の締め力で長尺ビス１８より螺着される。
【００１６】
棟瓦固定バンドＡと冠瓦３やのし瓦２の隙間にはシーリング材２４やスポンジ材などでコーキングを実施して棟瓦固定バンドＡの横ズレをなくし防水対策を施すものとする。
【００１７】
（実施例２）
図３ａに於て、防水ゴム１９が挿通された長尺ビス１８で棟瓦固定バンドＡを螺着する場所に垂木６が位置している場合は、本仕様の棟瓦固定バンドＡが固定されるが、垂木６が該場所になくズレている場合に於て、図３ｂのように野地板７の裏面より平座金２０、ナット２１を利用して長尺ボルト３２で螺着することにより緊結状態として棟瓦固定バンドＡが固定される。
なお、以上の実施例では野地板７の板厚が８ｍｍ未満の場合で説明したが、野地板７の板厚が８ｍｍ以上を有している場合には長尺ビス１８を使用して、長尺ボルト３２にナット２１を螺着しなくても済む。
【００１８】
（実施例３）
また、図１１のように棟瓦固定バンドＣのフランジ部２３を桟瓦４の桟心部３０の端部まで来るように延長して、長尺ビス１８をフランジ部２３の丸孔２２より瓦桟木１７及び野地板７並びに垂木６へと螺入して緊締固止させることもできる。
【００１９】
次に図１０ａのように、桟瓦４と野地板７との間に檜、杉などの木製またはプラスチック製の下地材３４を野地板７を通じて垂木６へビス３５にて取付けしておいてから、長尺ビス１８を棟瓦固定バンドＡのフランジ部２３の丸孔２２より下地材３４および野地板７垂木６へ螺入して緊締固止させる。
【００２０】
また、図１０ｂに示すように、桟瓦４と野地板７との間に同じく檜、杉などの木製またはプラスチック製からなる下地材３４を野地板７並びに垂木６へビス３５にて取付けしておいてから、長尺ボルト３２を棟瓦固定バンドＡのフランジ部２３の丸孔２２より下地材３４および野地板７へ螺入して、野地板７にて平座金２０を介してナット２１にて緊締固止する。
なお、図中１９は防水ゴムである。
このように野地板７並びに垂木６へ取付けした下地材３４へ長尺ビス１８を螺入して野地板７にてナット２１にて緊締固止したことにより、大棟１が棟瓦固定バンドＡにて頗る安全堅牢に固定される。
【００２１】
（実施例４）
図６ａに於て、特に改築用の家屋の棟瓦にあっては、心しばり施工や千鳥格子施工の銅線が切れかかっていたり、または冠瓦３が破損し一部修繕する場合は、棟瓦全体を工事する必要はなく、ステンレス製金網２５や耐候性の樹脂製ネットなどをのし瓦２の長手方向に覆い被せ、該金網２５やネットなどの上面より棟瓦固定バンドＡを所定の間隔で配設・固着することにより対応ができる。
【００２２】
（実施例５）
更に図６ｂに於て、ステンレス製金網や耐候性の樹脂製ネットなどの変わりにステンレス製帯板２６を冠瓦３の長手方向に添設させ、該帯板２６の上から棟瓦固定バンドＡで固着することにより冠瓦３のズレ対策とすることもできる。本仕様にあっては冠瓦３の部分修繕に対しても有効な方法である。
【００２３】
（実施例６）
図７、図８に於て、桟瓦４は必ずしも大棟の左右傾斜面に対向して均等に配列されている訳でなく、数センチの桟心部３０の前後ズレが発生している場合がある。その場合棟瓦固定バンドＡを半円形のまま渡し込むと桟心部３０の偏心により長尺ビス１８が桟心部３０に螺着できない状態となる。その対策としてステンレス製補助プレート２７を係止して偏心を吸収することになる。該補助プレート２７は、着脱可能とするため、ボルト・ナット２８でフランジ部２３に固定される。
【００２４】
（実施例７）
図９ａ、図９ｂに於て、棟瓦固定バンドＢは、大棟の形状に合わせて製作されるため、実施例１の形状とは別にのし瓦２を積み上げる際に段違いにして施工するものがあり、該仕様に対しても棟瓦固定バンドＢとして段曲げ加工３１を施して、のし瓦の段違い部に合致させて対応できる。またのし瓦２を本図３段以上の高さにした大棟（図示なし）や冠瓦３が本図の半円形でなく特殊な形状を成した大棟（図示なし）などにも棟瓦の断面形状に沿わせて棟瓦固定バンドが成形され、尚且、棟瓦固定バンドのフランジ部に関し、長く成形して（図示せず）複数本のビスで留める形状にすることも対応することができる。
【００２５】
図１２は本発明の棟瓦固定バンドＡを隅棟Ｄへ使用した場合を示すものであって、この際も棟瓦固定バンドＡの両フランジ部２３がそれぞれ桟瓦４の桟心部３０上にあるので、該フランジ部２３の丸孔より長尺ビスまたは長尺ボルトにて螺入して緊締固止するものであることは図２ａ、図２ｂのときと同様の取付方法である。
【００２６】
図１３は隅棟Ｄと双方の桟瓦４の桟心部３０との位置の関係上、棟瓦固定バンドＣのフランジ部２３の長さが左右異なった場合示すものであって、隅棟Ｄへ桟瓦固定バンドを固着する方法は上記に述べた固定方法と全く同一であることは言う迄もない。
【００２７】
また、図１４は図１３に示すものとの別の実施例を示すものであって、この場合は補助プレート３６をフランジ部２３と桟瓦４の桟心部３０との間に介在して長尺ビス１８または長尺ボルト３２にて螺着して棟瓦固定バンドＡを隨意に隅棟Ｄへ取付けできる場合を説明したものである。
【００２８】
【発明の効果】
本発明の棟瓦固定バンドは、半円形の帯板状の固定バンドにて構成され、該棟瓦固定バンドのフランジ部より長尺ビスを螺入して、多種多様の和風瓦葺きの棟瓦の外観形状に沿わせて緊締固止したから大棟、隅棟などを強固に保持できる。
【００２９】
本発明は、冠瓦の上面から固定バンド方式で桟瓦の桟心部より長尺ビスを専用下地材、瓦桟木、野地板、および垂木へ確実に螺着されるようにしたから、地震屋強風などに対する防災構造を成し、心しばり施工や千鳥格子施工などの敷設を併用して施工することにより、更に強化な防災構造となり汎用性に優れ利用価値の高いものである。
【００３０】
また、桟瓦と野地板との間に不腐食性に富んだ檜、杉など木製またはプラスチック製の下地材を介在して長尺ビスにて螺着したから、より完全堅固に固定できる。
【００３１】
本発明は、冠瓦の天井長手方向に帯板を添設し、または冠瓦やのし瓦の長手方向に金網を覆設して棟瓦固定バンドでのし瓦や冠瓦の上面より圧着したから、既存の棟瓦の部分修繕に有効で、更に堅固な防災発明といえる。
【００３２】
本発明は、大棟の左右傾斜面に対向する桟瓦の桟心部が偏心した瓦葺き施工に、補助プレートを介在して、棟瓦固定バンドをのし瓦や冠瓦の上面より圧着したから、新築や改築の家屋を問わず既存の棟瓦でも補強対策を施すことができるものである。
【００３３】
本発明は、冠瓦の外形、及びのし瓦の段違い積みに合わせて帯板状の固定バンドを段曲げ加工した屈曲部をのし瓦の略下部段違い部に合致させて、棟瓦固定バンドをのし瓦や冠瓦の上面より圧着したから、のし瓦が３段以上の高さにした大棟や冠瓦が半円形でなく特殊な形状を成した大棟などにも棟瓦の断面形状に沿わせて棟瓦固定バンドを成形することができ、優れた汎用性を有する発明である。
【００３４】
本発明は、固定バンド方式であるため、新築や改築の家屋を問わず施工でき、特に既存の棟瓦の部分修繕には解体する部分が小範囲で済み、防災構造でない既存の棟瓦でも補強対策を施すことができる極めて優れた発明といえる。
【００３５】
本発明は、外部固定バンド方式であるため、現在行われている棟耐震工法の棟内部で補強される施工方法より欠陥が発見し易く、外部より簡単に補修ができるのでメンテナンスにも優位性を有している。
【００３６】
新築家屋の棟瓦施工に於いては予め棟瓦固定バンドの高さ、形状に合わせてのし瓦の段数を調節でき、施工ロスが少なく熟練者には極めて利便性の高いものである。
【図面の簡単な説明】
【図１】本発明の棟瓦固定バンドが施工された棟瓦の外観斜視図である。
【図２】ａ　本発明の棟瓦固定バンドが施工された棟瓦の要部正面図である。
ｂ　本発明の棟瓦固定バンドが施工された棟瓦のＹ−Ｙ断面図である。
【図３】ａ　実施例１の棟瓦固定バンド施工部の要部拡大断面図である。
ｂ　実施例２の棟瓦固定バンド施工部の要部拡大断面図である。
【図４】ａ　従来の棟瓦固定の構造の参考正面図である。
ｂ　従来の棟瓦固定の構造の参考Ｚ−Ｚ断面図である。
【図５】ａ　従来の棟瓦固定の構造の参考正面図である。
ｂ　従来の棟瓦固定の構造の参考Ｌ−Ｌ断面図である。
【図６】ａ　実施例４の棟瓦固定バンドが施工された棟瓦の参考外観斜視図である。
ｂ　実施例５の棟瓦固定バンドが施工された棟瓦の参考外観斜視図である。
【図７】実施例６の棟瓦固定バンドが施工された状態を大棟部より眺めた平面図である。
【図８】実施例６の棟瓦固定バンドが施工された棟瓦の参考外観斜視図である。
【図９】ａ　実施例７の棟瓦固定バンドが施工された状態を示す参考図である。
ｂ　実施例７の棟瓦固定バンドが施工された棟瓦の参考外観斜視図である。
【図１０】ａ　桟瓦と野地板との間に介在した下地材を野地板へ取付したのち長尺ビスにて本発明の実施例３の棟瓦固定バンドを棟瓦へ取付した状態を示す拡大縦断面図である。
ｂ　桟瓦と野地板との間の下地材を野地板へ取付したのち長尺ボルトにて本発明の実施例３の棟瓦固定バンドを棟瓦へ取付した状態を示す拡大縦断面図である。
【図１１】桟瓦のフランジ部の延出部より長尺ビスを螺入して瓦桟木を通して野地板および垂木にて螺着して本発明の棟瓦固定バンドを棟瓦へ取付した状態を示す拡大縦断面図である。
【図１２】隅棟へ本発明の棟瓦固定バンドを取付けした平面図である。
【図１３】隅棟へ本発明の棟瓦固定バンドを取付けした別の実施例の平面図である。
【図１４】隅棟へ本発明の棟瓦固定バンドを取付けした別の実施例の平面図である。
【符号の説明】
１　大棟
２　のし瓦
３　冠瓦
４　桟瓦
５　棟木
６　垂木
７　野地板
８　釘
９　瓦取付用釘
１０　棟土
１１　屋根
１２　銅線
１３　銅線
１４　銅線
１５　釘
１６　丸孔
１７　瓦桟木
１８　長尺ビス
１９　防水ゴム
２０　平座金
２１　ナット
２２　丸孔
２３　フランジ部
２４　シーリング材
２５　金網
２６　帯板
２７　補助プレート
２８　ボルト・ナット
３０　桟心部
３１　段曲げ加工
３２　長尺ボルト
３３　丸孔
３４　下地材
３５　ビス
３６　補助プレート
Ａ　棟瓦固定バンド
Ｂ　棟瓦固定バンド
Ｃ　棟瓦固定バンド
Ｄ　隅棟
【図１】
2004052217.tif 000003
【図２】
2004052217.tif 000004
【図３】
2004052217.tif 000005
【図４】
2004052217.tif 000006
【図５】
2004052217.tif 000007
【図６】
2004052217.tif 000008
【図７】
2004052217.tif 000009
【図８】
2004052217.tif 000010
【図９】
2004052217.tif 000011
【図１０】
2004052217.tif 000012
【図１１】
2004052217.tif 000013
【図１２】
2004052217.tif 000014
【図１３】
2004052217.tif 000015
【図１４】
2004052217.tif 000016